(57)【要約】【課題】帯状の粘着シートを吊り下げて使用する粘着性補虫器において、ロール状の粘着シートを収容する容器を紙素材で形成すると共に該容器の付加機能を高める。【解決手段】容器３が、ロール状の粘着シート２を上部開口４ａを通じて収容するパルプモールド製の容器本体４と、前記ロール状の粘着シート２を繰り出し可能に支持した状態で前記容器本体４内に収容される板紙製のロールホルダ５と、該ロールホルダ５を支持した状態で前記容器本体４の開口を閉塞する板紙製の蓋部材６とを備え、前記蓋部材６に画定された切除部８に連なるシート貼付片９に前記粘着シート２の繰り出し先端部を接着し、該切除部８を蓋部材６から切り離すことで前記容器３を前記粘着シート２を繰り出し可能に開封させる。【選択図】図２
2010130991.tif 000002
【特許請求の範囲】
【請求項１】
帯状の粘着シートをロール状に巻き取って容器内に収容し、この状態から前記粘着シートを繰り出してその先端側より該粘着シートを吊り下げて使用する粘着性補虫器において、
前記容器が、前記ロール状の粘着シートを一開口を通じて収容するパルプモールド製の容器本体と、前記ロール状の粘着シートを繰り出し可能に支持した状態で前記容器本体内に収容される板紙製のロールホルダと、該ロールホルダを支持した状態で前記容器本体の開口を閉塞する板紙製の蓋部材とを備え、
前記蓋部材に画定された切除部に前記粘着シートの繰り出し先端部を接着し、該切除部を蓋部材から切り離すことで前記容器を前記粘着シートを繰り出し可能に開封させることを特徴とする粘着性補虫器。
【発明の詳細な説明】
【技術分野】
【０００１】
この発明は、帯状の粘着シートを吊り下げて使用する粘着性補虫器に関する。
【背景技術】
【０００２】
従来、帯状の粘着シートをロール状に巻き取って容器内に収容し、この状態から前記粘着シートを繰り出してその先端側より粘着シートを吊り下げて使用する粘着性補虫器が知られている（例えば、特許文献１参照。）。
【特許文献１】実開昭６３−１８０８３号公報
【発明の開示】
【発明が解決しようとする課題】
【０００３】
ところで、上記従来のものは、ロール状の粘着シートを紙管等からなる簡素な容器内に収容した構成であるが、近年では前記容器の付加機能（外観性、封入性、組み立て容易性等）を高めるべく、該容器を樹脂製の一体形成品とすることも検討されている。しかしながら、当該補虫器はその使用後には破棄するものであるから、環境保全の観点からも前記容器は紙素材で形成することが望ましい。
そこでこの発明は、帯状の粘着シートを吊り下げて使用する粘着性補虫器において、ロール状の粘着シートを収容する容器を紙素材で形成すると共に該容器の付加機能を高めることを目的とする。
【課題を解決するための手段】
【０００４】
上記課題の解決手段として、請求項１に記載した発明は、帯状の粘着シートをロール状に巻き取って容器内に収容し、この状態から前記粘着シートを繰り出してその先端側より該粘着シートを吊り下げて使用する粘着性補虫器において、前記容器が、前記ロール状の粘着シートを一開口を通じて収容するパルプモールド製の容器本体と、前記ロール状の粘着シートを繰り出し可能に支持した状態で前記容器本体内に収容される板紙製のロールホルダと、該ロールホルダを支持した状態で前記容器本体の開口を閉塞する板紙製の蓋部材とを備え、前記蓋部材に画定された切除部に前記粘着シートの繰り出し先端部を接着し、該切除部を蓋部材から切り離すことで前記容器を前記粘着シートを繰り出し可能に開封させることを特徴とする。
【発明の効果】
【０００５】
請求項１に記載した発明によれば、粘着シートを収容する容器本体をパルプモールド製とすることで、該容器本体を一体形成品としてその外観性、封入性及び組み立て容易性を向上させ、かつ適度な強度及び耐久性の確保を容易にし、さらには形状自由度を高めることができる。
そして、容器本体と併せてロールホルダ及び蓋部材を全て紙製品とすることで、当該補虫器使用後の破棄容易性を向上させることができる。
また、ロール状の粘着シートをロールホルダで繰り出し可能に支持した状態で容器本体内に収容することで、該粘着シートの繰り出しをスムーズに行うことができる。
さらに、切除部の切り離しにより容器が粘着シートを繰り出し可能に開封することで、切除部を取っ手に粘着シートを繰り出すと共に、該切除部を係止具として粘着シートを吊り下げることができる。
【発明を実施するための最良の形態】
【０００６】
以下、この発明の実施例について図面を参照して説明する。
図１に示す粘着性補虫器１は、帯状の粘着シート２をロール状に巻き取って容器３内に収容した状態（図１（ａ）参照）から、前記粘着シート２を繰り出してその先端側より該粘着シート２及び容器３を吊り下げた状態（図１（ｂ）参照）として使用するものである。以下、図１（ａ）に示す状態を粘着性補虫器１の未使用状態、図１（ｂ）に示す状態を粘着性補虫器１の使用状態という。
【０００７】
以下、図２中の「上下」、「前後」、「左右」の向きを用いて説明する。
図２、３を参照し、前記容器３は、前記ロール状の粘着シート２を上部開口４ａを通じて収容するパルプモールド製の容器本体４と、前記ロール状の粘着シート２を繰り出し可能に支持した状態で前記容器本体４内に収容される板紙製のロールホルダ５と、該ロールホルダ５を支持した状態で前記容器本体４の上部開口４ａを閉塞する板紙製の蓋部材６とを備える。
【０００８】
前記蓋部材６は適宜折り畳まれて容器本体４の上部開口４ａを閉塞するもので（図３参照）、容器本体４への取り付け時にその外方に面する外蓋部７には、左右の切断誘導線８ａに挟まれた切除部８が設けられる。この切除部８の一部としてその後方に連なるシート貼付片９には粘着シート２の繰り出し先端部が接着され、該切除部８を蓋部材６から切り離すことで、容器３が粘着シート２を繰り出し可能に開封する。
【０００９】
粘着シート２は、油紙等の紙製の基材に虫捕獲用の粘着剤を塗布してなり、この粘着シート２が紙製の巻芯２ａの外周に巻き取られる。粘着シート２における巻芯２ａ側及び前記切除部８側の両端部には粘着剤が塗布されず、該両端部が巻芯２ａ及び切除部８にそれぞれ一体的に接着される。巻き取り状態にある粘着シート２は、その幅方向（左右方向）に長い円筒状の外観を有し、その円筒形状の両端部からは前記巻芯２ａの両端部がさらに突出する。
【００１０】
パルプモールド製の容器本体４は、粘着シート２の幅方向（左右方向）に長くかつ上方に開口した箱状とされる。容器本体４は、その成形型からの抜き角を確保するべく底部（下部）に対して上部開口４ａが広がって形成される。上部開口４ａの外周には本体側フランジ４ｂが形成されている。
【００１１】
なお、前記パルプモールドとは、古紙やパルプを水に溶かしてパルプ繊維の溶液を作り、この溶液中に金型を浸けて該金型内部を真空で引き、この金型の表面に吸着したパルプ繊維を乾燥させて金型からはがすことで、所定形状及び強度を有する紙成形品とされたものである。また、容器本体４に用いる材料は、成形性等の加工適性や包装材料として要求される諸性質である保護性（引張り強度、破裂強さ等の力学的強さ）、商品性（印刷適正等）、経済性（価格、輸送保管性等）、安全・衛生性（無毒、易廃棄性等）を満足していれば特に制約はない。
【００１２】
ロールホルダ５は、ロール状の粘着シート２の前後左右を囲む前後壁１１，１２及び左右側壁１３を有してなる。
図４を併せて参照し、ロールホルダ５は、板紙の基材から各壁１１，１２，１３を連続させた帯状のブランクシートを打ち抜き、該ブランクシートに所定の折り曲げ加工を施すと共にその両端部に形成された鉤形の切れ込みｋを互いに係合させることで、前記各壁１１，１２，１３を有する角筒状のロールホルダ５を形成する。
【００１３】
左右側壁１３の上端からは、左右の支持片１４がそれぞれ左右外側に向けて屈曲して延びる。左右側壁１３の下部には、その略中央部分から例えば斜め下前方に向けて延びると共に外方に開放する切り欠き状の保持溝１５がそれぞれ形成され、該左右保持溝１５に粘着シート２の巻芯２ａの左右端部が入り込んで保持される。
【００１４】
左右保持溝１５は、その奥側（左右側壁１３の中央側）の幅が巻芯２ａの径と同等とされる一方、先端側（開放側）の幅は巻芯２ａの径よりも狭くされる。これにより、巻芯２ａを左右保持溝１５の奥側まで入り込ませて保持することで、該巻芯２ａが左右保持溝１５から容易に脱落することはない。
【００１５】
図２，３を参照し、蓋部材６は、板紙の基材から所定形状のブランクシートＢ（図２参照）を打ち抜き、該ブランクシートＢに所定の折り曲げ加工を施すと共にロールホルダ５及び容器本体４等と適宜接着を施すことで、ロールホルダ５の上端部を支持すると共に容器本体４の上部開口４ａを閉塞する。
【００１６】
蓋部材６は、図２の展開状態（ブランクシートＢ状態）における例えば前側から順に、ロールホルダ５の左右支持片１４を挟み込んで該ロールホルダ５の上端外周にホルダフランジ２３（図３参照）を形成する上下フランジ部２１，２２と、前記外蓋部７と、該外蓋部７の切除部８の後方に連なるシート貼付片９とを連続的に有する。なお、図２中線Ｌ１は上下フランジ部２１，２２間の境となる左右方向に沿う折り曲げ線を、線Ｌ２は下フランジ部２２及び外蓋部７間の境となる左右方向に沿う折り曲げ線を、線Ｌ３は外蓋部７及びシート貼付片９の境となる左右方向に沿う折り曲げ線をそれぞれ示す。
【００１７】
上下フランジ部２１，２２は容器本体４の本体側フランジ４ｂの外周形状と同等の大きさを有する平面視長方形状とされる。下フランジ部２２の中央部には、ロールホルダ５の角筒部分を挿通可能な平面視長方形状の角孔２２ａが形成されると共に、上フランジ部２１には、前記角孔２２ａよりもやや小さい同じく平面視長方形状の角孔２１ａが形成される。
【００１８】
そして、下フランジ部２２の角孔２２ａにその上方からロールホルダ５の角筒部分を挿通し、該下フランジ部２２の左右上面にロールホルダ５の左右支持片１４の下面を当接させると共に、前記折り曲げ線Ｌ１で上フランジ部２１を上方に屈曲させて下フランジ部２２上に重ね合わせ、該上下フランジ部２１，２２間に左右支持片１４を挟み込む。この状態で上下フランジ部２１，２２を互いに接着して左右支持片１４を一体的に保持することで、ロールホルダ５の上端部左右が上下フランジ部２１，２２の左右に保持されると共に、ロールホルダ５の上端外周にホルダフランジ２３が形成される。
【００１９】
外蓋部７は上下フランジ部２１，２２と同様の平面視長方形状をなし、その左右両側にはハーフカット又はミシン目による左右切断誘導線８ａを有し、該左右切断誘導線８ａ間の部位が前記切除部８とされる。切除部８の略中央には例えば平面視円形の係止孔８ｂが穿設される。
【００２０】
左右切断誘導線８ａは、前記折り曲げ線Ｌ３から前後方向に沿って前方に延び、外蓋部７の前半部分で前方かつ左右内側に斜めに屈曲して延びる。左右切断誘導線８ａの前端は折り曲げ線Ｌ２近傍に至り、該左右切断誘導線８ａの前端間が左右方向に沿うカット線８ｃを介して連なる。
【００２１】
外蓋部７の左右端部には、その左右外側に平面視半円状に突出する係止片２６がそれぞれ設けられる。左右係止片２６は、その基端側に外蓋部７の左右端よりもやや左右内側に変位した前後方向に沿う折り曲げ線Ｌ４を有する。そして、蓋部材６が前記容器本体４の上部開口４ａを閉塞した状態で、左右係止片２６を前記折り曲げ線Ｌ４で下方に屈曲させることで、該左右係止片２６を容器本体４の本体側フランジ４ｂの左右凹部４ｃに係止可能となる（図１参照）。
【００２２】
外蓋部７の切除部８の後方には、これと同等の左右幅を有すると共に外蓋部７よりもやや狭い前後幅を有する平面視長方形状のシート貼付片９が連なる。
なお、ロールホルダ５及び蓋部材６に用いる板紙としては、マニラボール、コートボール、ノーコートボール、チップボール、黄ボール、クラフトボール等が挙げられる。
【００２３】
次に、上記構成を有する容器３内に粘着シート２を収容して前記未使用状態の粘着性補虫器１とするまでの手順について図５を参照して説明する。
まず、図５（ａ）を参照し、展開状態の蓋部材６における下フランジ部２２の角孔２２ａにその上方からロールホルダ５の角筒部分を挿入すると共に、該角孔２２ａの下方においてロールホルダ５の左右保持溝１５に粘着シート２の巻芯２ａの左右端部を差し込み保持させる。
【００２４】
次いで、図５（ｂ）を参照し、前述の如く上フランジ部２１を折り曲げて下フランジ部２２上に重ねて接着することで、ロールホルダ５の上端部を上下フランジ部２１，２２間に保持すると共に、ロールホルダ５の上端外周にホルダフランジ２３を形成する。
【００２５】
次いで、図５（ｃ）を参照し、各折り曲げ線Ｌ２，Ｌ３で外蓋部７及びシート貼付片９を上方に屈曲させると共に、粘着シート２の繰り出し先端部を所定長さだけ引き出し、該繰り出し先端部をシート貼付片９及び外蓋部７間においてシート貼付片９に接着する。
【００２６】
この後、図５（ｄ）を参照し、外蓋部７を粘着シート２の繰り出し先端部及びシート貼付片９を挟み込みつつ屈曲させてホルダフランジ２３上に重ね、この状態で外蓋部７の左右両側をホルダフランジ２３の左右両側に接着する。外蓋部７をホルダフランジ２３上に重ねるまで屈曲させた際には、左右切断誘導線８ａの前端間に渡る部位が前記カット線８ｃを起点に屈曲外周側に切り起こされ、当該部位が容器３開封時の指掛かり部２７となる。
【００２７】
この状態からロールホルダ５及び粘着シート２を容器本体４内に収容するように該容器本体４に蓋部材６を取り付け、ホルダフランジ２３の下面を本体側フランジ４ｂの上面に接着し、かつ左右係止片２６を下方に屈曲して本体側フランジ４ｂの左右凹部４ｃに係止させることで、前記未使用状態の粘着性補虫器１となる。
【００２８】
次に、未使用状態の粘着性補虫器１を使用状態とする際には、まず、前記指掛かり部２７を起点に左右切断誘導線８ａを切断し切除部８を外蓋から切り離す。すると、容器本体４上から切除部８及びシート貼付片９が除去可能となり、その下方の上下フランジ部２１，２２の各角孔２１ａ，２２ａを通じてロール状の粘着シート２が容器３外に露出可能となる。
【００２９】
粘着シート２の繰り出し先端部は切除部８に連なるシート貼付片９に接着されることから、切除部８を取っ手として粘着シート２に触れることなくこれを上方に引き出すことが可能である。また、粘着シート２は、容器３内においてその内面に触れることなくロールホルダ５を介してフローティング支持されており、その引き出し作業もスムーズである。
【００３０】
粘着シート２を引き出した後には、切除部８を係止具としてその係止孔８ｂに天井のフック等を係止可能であり、もって粘着性補虫器１が容器３を錘に粘着シート２を鉛直状に吊り下げた前記使用状態となる（図１（ｂ）参照）。
【００３１】
以上説明したように、上記実施例における粘着性補虫器１は、帯状の粘着シート２をロール状に巻き取って容器３内に収容し、この状態から前記粘着シート２を繰り出してその先端側より該粘着シート２を吊り下げて使用するものにおいて、前記容器３が、前記ロール状の粘着シート２を上部開口４ａを通じて収容するパルプモールド製の容器本体４と、前記ロール状の粘着シート２を繰り出し可能に支持した状態で前記容器本体４内に収容される板紙製のロールホルダ５と、該ロールホルダ５を支持した状態で前記容器本体４の開口を閉塞する板紙製の蓋部材６とを備え、前記蓋部材６に画定された切除部８に連なるシート貼付片９に前記粘着シート２の繰り出し先端部を接着し、該切除部８を蓋部材６から切り離すことで前記容器３を前記粘着シート２を繰り出し可能に開封させるものである。
【００３２】
この構成によれば、粘着シート２を収容する容器本体４をパルプモールド製とすることで、該容器本体４を一体形成品としてその外観性、封入性及び組み立て容易性を向上させ、かつ適度な強度及び耐久性の確保を容易にし、さらには形状自由度を高めることができる。
そして、容器本体４と併せてロールホルダ５及び蓋部材６を全て紙製品とすることで、当該補虫器１使用後の破棄容易性を向上させることができる。
また、ロール状の粘着シート２をロールホルダ５で繰り出し可能に支持した状態で容器本体４内に収容することで、該粘着シート２の繰り出しをスムーズに行うことができる。
さらに、切除部８の切り離しにより容器３が粘着シート２を繰り出し可能に開封することで、切除部８を取っ手に粘着シート２を繰り出すと共に、該切除部８を係止具として粘着シート２を吊り下げることができる。
【００３３】
なお、この発明は上記実施例に限られるものではなく、例えば、シート貼付片９をなくして粘着シート２の繰り出し先端部を切除部８に直に接着するようにしてもよい。また、上下フランジ部２１，２２を一方のみとしてこれにロールホルダ５の左右支持片１４を接着するようにしてよい。さらに、上下フランジ部２１，２２を共になくして外蓋部７及び本体側フランジ４ｂ間にロールホルダ５の左右支持片１４を保持するようにしてもよい。
そして、上記実施例における構成はこの発明の一例であり、当該発明の要旨を逸脱しない範囲で種々の変更が可能であることはいうまでもない。
【図面の簡単な説明】
【００３４】
【図１】この発明の実施例における粘着性補虫器の斜視図であり、（ａ）は未使用状態を、（ｂ）は使用状態をそれぞれ示す。
【図２】上記粘着性補虫器の分解斜視図である。
【図３】図１のＡ−Ａ断面図である。
【図４】上記粘着性補虫器のロールホルダの他方向からの斜視図である。
【図５】上記粘着性補虫器の組み立る手順を（ａ）から（ｄ）の順に並べた説明図である。
【符号の説明】
【００３５】
１  粘着性補虫器
２  粘着シート
３  容器
４  容器本体
４ａ  上部開口（開口）
５  ロールホルダ
６  蓋部材
８  切除部
９シート貼付片
【図１】
2010130991.tif 000003
【図２】
2010130991.tif 000004
【図３】
2010130991.tif 000005
【図４】
2010130991.tif 000006
【図５】
2010130991.tif 000007